(57)【要約】【課題】医師の労力を軽減することができるレポート作成装置およびレポート作成プログラムを提供すること。【解決手段】実施形態に係るレポート作成装置は、作成部と、配置部と、出力部とを備える。作成部は、被検体の疾病に関する複数種類の検査が予約された際に、疾病の診断に用いられるレポートにおける各検査結果の配置位置を定義したレイアウト情報を作成する。配置部は、予約された検査が実施されるごとに、検査で得られた検査結果を作成部によって作成されたレイアウト情報に配置する。出力部は、配置部によって複数の検査結果が配置されたレイアウト情報を用いて、複数の検査結果を含む統合レポートを出力する。【選択図】図２
2014096055.tif 000002
【特許請求の範囲】
【請求項１】
被検体の疾病に関する複数種類の検査が予約された際に、当該疾病の診断に用いられるレポートにおける各検査結果の配置位置を定義したレイアウト情報を作成する作成部と、
前記検査が実施されるごとに、当該検査で得られた検査結果を前記作成部によって作成されたレイアウト情報に配置する配置部と、
前記配置部によって複数の検査結果が配置されたレイアウト情報を用いて、当該複数の検査結果を含む統合レポートを出力する出力部と
を有することを特徴とするレポート作成装置。
【請求項２】
個々の検査ごとに作成された単独レポート又は前記統合レポートを取得する取得部と、
前記取得部によって取得された単独レポート又は前記統合レポートを、当該単独レポート又は当該統合レポートに含まれる複数の検査結果に分解する分解部と、
をさらに備え、
前記配置部は、前記分解部によって得られた少なくとも１つの検査結果を前記作成部によって作成されたレイアウト情報に配置することを特徴とする請求項１に記載のレポート作成装置。
【請求項３】
前記作成部は、前記複数種類の検査が予約される際に、各検査で得られる検査結果の配置位置の指定を受け付け、当該配置位置にしたがって、前記レイアウト情報を作成することを特徴とする請求項１又は２に記載のレポート作成装置。
【請求項４】
前記作成部は、前記疾病ごとに規定された検査結果の優先度を用いて、予約された検査で得られる検査結果の配置位置を決定し、当該配置位置にしたがって、前記レイアウト情報を作成することを特徴とする請求項１又は２に記載のレポート作成装置。
【請求項５】
前記検査結果を取得する旨の入力を利用者から受け付ける受付部と、
前記受付部によって受け付けた入力に応じて前記検査結果を取得する取得部と、
をさらに備え、
前記配置部は、前記取得部によって取得された検査結果を、前記作成部によって作成されたレイアウト情報に配置することを特徴とする請求項１〜４のいずれか一つに記載のレポート作成装置。
【請求項６】
コンピュータに、
被検体の疾病に関する複数種類の検査が予約された際に、当該疾病の診断に用いられるレポートにおける各検査結果の配置位置を定義したレイアウト情報を作成し、
前記検査が実施されるごとに、当該検査で得られた検査結果を、前記作成する処理によって作成されたレイアウト情報に配置し、
前記配置する処理によって複数の検査結果が配置されたレイアウト情報を用いて、当該複数の検査結果を含む統合レポートを出力する
各処理を実行させることを特徴とするレポート作成プログラム。 
【発明の詳細な説明】
【技術分野】
【０００１】
本発明の実施形態は、レポート作成装置およびレポート作成プログラムに関する。
【背景技術】
【０００２】
従来、病院などの医療現場では、一人の患者の疾病に対して複数の検査が実施されている。そして、それぞれの検査について単独のレポートが作成されている。放射線科では、例えば、ＭＲＩ（Magnetic  Resonance  Imaging）装置を用いて撮影された画像、計測結果及び検査の所見などを含むレポートが作成される。医師は、レポートを参照して診断を行う。
【先行技術文献】
【特許文献】
【０００３】
【特許文献１】特開２０１２−０９９１２４号公報
【発明の概要】
【発明が解決しようとする課題】
【０００４】
本発明が解決しようとする課題は、医師の労力を軽減することができるレポート作成装置およびレポート作成プログラムを提供することである。
【課題を解決するための手段】
【０００５】
実施形態に係るレポート作成装置は、作成部と、配置部と、出力部とを備える。作成部は、被検体の疾病に関する複数種類の検査が予約された際に、当該疾病の診断に用いられるレポートにおける各検査結果の配置位置を定義したレイアウト情報を作成する。配置部は、前記検査が実施されるごとに、当該検査で得られた検査結果を前記作成部によって作成されたレイアウト情報に配置する。出力部は、前記配置部によって複数の検査結果が配置されたレイアウト情報を用いて、当該複数の検査結果を含む統合レポートを出力する。
【図面の簡単な説明】
【０００６】
【図１】図１は、第１の実施形態に係る画像処理システムの構成例を説明するための図である。
【図２】図２は、第１の実施形態に係るレポート作成装置の構成例を説明するための図である。
【図３】図３は、検査予約情報取得部によって取得される検査予約情報の一例を示す図である。
【図４】図４は、テンプレート記憶部に記憶される情報の一例を示す図である。
【図５】図５は、テンプレート記憶部に記憶されるテンプレートの一例を示す図である。
【図６】図６は、レイアウト作成部によって作成されるレイアウトの一例を示す図である。
【図７】図７は、Ｆｉｎｄｉｎｇ情報割当部によって割り当てられた統合レポートの一例を示す図である。
【図８】図８は、モニタに表示されるサマリ図の一例を示す図である。
【図９】図９は、第１の実施形態に係るレポート作成装置のレイアウト作成処理を説明するためのフローチャートである。
【図１０】図１０は、第１の実施形態に係るレポート作成装置のレポート作成処理を説明するためのフローチャートである。
【図１１】図１１は、従来技術の課題について説明するための図である。
【図１２】図１２は、第１の実施形態に係るレポート作成装置の効果について説明するための図である。
【図１３】図１３は、第２の実施形態に係るレポート作成装置の構成例を説明するための図である。
【図１４】図１４は、第２の実施形態に係るレポート作成装置のレポート作成処理を説明するためのフローチャートである。
【図１５】図１５は、第３の実施形態に係るレポート作成装置の構成例を説明するための図である。
【図１６】図１６は、第３の実施形態に係るレポート作成装置のレポート作成処理を説明するためのフローチャートである。
【図１７】図１７は、他の実施形態に係るレポート作成装置の構成例を説明するための図である。
【図１８】図１８は、優先度順テンプレート記憶部に記憶される情報の一例を示す図である。
【図１９】図１９は、優先度順テンプレート記憶部に記憶されるテンプレート形式の一例を示す図である。
【図２０】図２０は、検査予約情報取得部によって取得される検査予約情報の一例を示す図である。
【図２１】図２１は、レイアウト作成部によって作成されるレイアウトの一例を示す図である。
【図２２】図２２は、他の実施形態に係るレポート作成装置の構成例を説明するための図である。
【発明を実施するための形態】
【０００７】
以下、図面を参照して、実施形態に係るレポート作成装置およびレポート作成プログラムを説明する。
【０００８】
（第１の実施形態）
図１を用いて、第１の実施形態に係る画像処理システムの構成例を説明する。図１は、第１の実施形態に係る画像処理システムの構成例を説明するための図である。図１に示すように、第１の実施形態に係る画像処理システム１は、レポート作成装置１００と、検査予約管理装置１１０と、モダリティ１２０ａと、モダリティ１２０ｂと、画像保管装置１３０と、ワークステーション１４０と、端末装置１５０とを備える。図１に示すように、各装置は、例えば、病院内に設置された院内ＬＡＮ（Local  Area  Network）２により、直接的又は間接的に相互に通信可能な状態となっている。例えば、画像処理システム１にＰＡＣＳ（Picture  Archiving  and  Communication  System）が導入されている場合、各装置は、ＤＩＣＯＭ（Digital  Imaging  and  Communications  in  Medicine）規格に則って、医用画像データ等を相互に送受信する。
【０００９】
ここで、第１の実施形態において、レポート作成装置１００は、被検体の疾病に関する複数種類の検査が予約された際に、疾病の診断に用いられるレポートにおける各検査結果の配置位置を定義したレイアウト情報を作成する。レポート作成装置１００は、検査が実施されるごとに、実施された検査で得られた検査結果を、作成したレイアウト情報に配置する。レポート作成装置１００は、複数の検査結果を配置したレイアウト情報を用いて、複数の検査結果を含む統合レポートを出力する。
【００１０】
検査予約管理装置１１０は、検査の予約管理を行う装置であり、例えば、ＨＩＳ（Hospital  Information  System）又はＲＩＳ（Radiology  Information  System）が導入されている。例えば、検査予約管理装置１１０は、病院内に勤務する医師や事務員による検査の予約に関連する検査予約情報を受け付け、受け付けた検査予約情報を画像処理システム１の各装置に出力する。
【００１１】
モダリティ１２０ａ及びモダリティ１２０ｂは、Ｘ線診断装置、Ｘ線ＣＴ装置、ＭＲＩ装置、自動化学分析装置、超音波診断装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、検体検査装置などの装置である。なお、モダリティ１２０ａ及びモダリティ１２０ｂを区別することなく総称する場合には、モダリティ１２０と記載する。また、図１には、画像処理システム１がモダリティ１２０ａ及びモダリティ１２０ｂを備える場合を例示したが、これに限定されるものではない。例えば、画像処理システム１は、複数のモダリティ１２０を備えていればよい。
【００１２】
また、モダリティ１２０は、予約された検査が実施されると、検査結果を生成する。例えば、モダリティ１２０は、複数の医用画像が撮影された場合には、キー画像を検査結果として選択する。なお、以下では、検査結果を「Ｆｉｎｄｉｎｇ情報」とも称する。
【００１３】
画像保管装置１３０は、医用画像を保管するデータベースである。例えば、画像保管装置１３０は、モダリティ１２０から送信された画像情報や検査結果を記憶部に格納し、これを保管する。なお、第１の実施形態は、大容量の画像を保管可能なワークステーション１４０を用いることで、図１に例示するワークステーション１４０と画像保管装置１３０とが統合されても良い。すなわち、第１の実施形態は、ワークステーション１４０そのものに画像情報や検査結果を記憶させる場合であってもよい。
【００１４】
ワークステーション１４０は、医用画像に対して画像処理を行う画像処理装置である。例えば、ワークステーション１４０は、画像保管装置１３０から取得した画像情報や検査結果を取得し、取得した画像情報や検査結果をモニタに表示する。
【００１５】
端末装置１５０は、病院内に勤務する医師や検査技師に医用画像及び統合レポートを閲覧させるための装置である。例えば、端末装置１５０は、病院内に勤務する医師や検査技師により操作されるＰＣ（Personal  Computer）やタブレット式ＰＣ、ＰＤＡ（Personal  Digital  Assistant）、携帯電話等である。例えば、端末装置１５０は、表示部としてモニタを有する。また、端末装置１５０は、レポート作成装置１００から統合レポートを取得し、取得した統合レポートをモニタに表示する。この結果、観察者である医師や検査技師は、統合レポートを閲覧することができる。
【００１６】
次に、図２を用いて、第１の実施形態に係るレポート作成装置１００の構成例を説明する。図２は、第１の実施形態に係るレポート作成装置１００の構成例を説明するための図である。図１に示すように、第１の実施形態に係るレポート作成装置１００は、検査情報取得部１０１と、レイアウト作成部１０３と、テンプレート記憶部１０２と、レイアウト配置部１０４と、レポート保存部１０５と、レポート記憶部１０６と、レポート操作部１０７とを備える。
【００１７】
検査情報取得部１０１は、検査に関連する情報を取得する。例えば、検査情報取得部１０１は、被検体について予約された検査に関連する検査予約情報と、被検体の疾病の種別を識別するための疾病種別情報とを検査予約管理装置１１０から取得する。検査情報取得部１０１は、取得した検査予約情報及び疾病種別情報をレイアウト作成部１０３へ出力する。
【００１８】
図２に示す例では、検査情報取得部１０１は、検査予約情報取得部１０１ａと、疾病情報取得部１０１ｂとを備える。
【００１９】
検査予約情報取得部１０１ａは、検査予約管理装置１１０から検査予約情報を取得する。例えば、検査予約情報取得部１０１ａは、検査予約管理装置１１０において患者の疾病に関連する複数種類の検査が予約されると、その予約に関連する検査予約情報を検査予約管理装置１１０から受信する。なお、複数種類の検査とは、例えば、Ｘ線ＣＴ装置、ＭＲＩ装置、Ｘ線診断装置、自動化学分析装置などの異なる複数の医療機器で実施される検査である。
【００２０】
図３は、検査予約情報取得部１０１ａによって取得される検査予約情報の一例を示す図である。図３に示すように、検査予約情報取得部１０１ａは、患者情報と、複数の検査に関連する情報とが対応付けられた検査予約情報を取得する。このうち、患者情報は、患者を識別するための情報である。また、検査に関連する情報としては、検査ごとに、検査識別情報と、検査識別子とが対応付けられている。検査識別情報は、検査を識別するための情報である。検査識別子は、予約された検査を識別するための情報である。なお、患者情報は、患者の氏名、性別及び年齢などの情報を含んでも良い。また、検査識別子は、予約された検査が実施される日時を示す情報を含んでも良い。
【００２１】
図３に示す例では、患者情報「１０１」と、１つ目の検査として、検査識別情報「ＣＴ検査」と、検査識別子「１００１１」とが対応付けられている。つまり、この検査予約情報は、患者情報「１０１」で識別される患者について予約された１つ目の検査がＣＴ検査であり、検査識別子「１００１１」で識別される検査によって得られるＦｉｎｄｉｎｇ情報のデータの種別が２次元画像であることを示す。また、検査予約情報取得部１０１ａによって取得される検査予約情報は、他の検査に関連する情報も含む。
【００２２】
疾病情報取得部１０１ｂは、検査予約管理装置１１０から疾病種別情報を取得する。例えば、疾病情報取得部１０１ｂは、検査予約情報取得部１０１ａが検査予約情報を受信すると、その検査予約情報に関連する患者の疾病種別情報を検査予約管理装置１１０から取得する。なお、疾病情報取得部１０１ｂは、検査予約情報の検査所見に疾病種別情報が含まれる場合には、検査予約情報取得部１０１ａによって取得された検査予約情報から疾病種別情報を取得しても良い。
【００２３】
なお、検査予約情報取得部１０１ａ及び疾病情報取得部１０１ｂが情報を取得する方法は、検査予約管理装置１１０から情報が送信されるまで待機する受動取得であっても、検査予約管理装置１１０に対してポーリングを行う能動取得であっても良い。
【００２４】
テンプレート記憶部１０２は、レポートのテンプレートを疾病種別ごとに記憶する。テンプレート記憶部１０２は、後述のレイアウト作成部１０３によって参照される。また、テンプレート記憶部１０２に記憶される情報は、レポート作成装置１００を利用する利用者によって予め登録される。
【００２５】
図４は、テンプレート記憶部に記憶される情報の一例を示す図である。図４に示すように、テンプレート記憶部１０２は、疾病種別情報と、テンプレートとが対応付けられた情報を記憶する。
【００２６】
図４に示す例では、テンプレート記憶部１０２は、疾病種別情報「心筋梗塞」と、テンプレート「テンプレート１」とが対応付けられた情報を記憶する。つまり、テンプレート記憶部１０２は、検査予約情報に関連する患者の疾病が心筋梗塞である場合には、テンプレート１に基づいてレポートを作成する旨を記憶する。なお、テンプレート記憶部１０２は、他の疾病種別情報についても同様にテンプレートを記憶する。
【００２７】
ここで、テンプレート記憶部１０２に記憶されるテンプレートは、例えば、レポートにおけるＦｉｎｄｉｎｇ情報の配置位置に、検査種別情報と、データ種識別子とが対応付けられた情報である。このうち、データ種識別子は、Ｆｉｎｄｉｎｇ情報のデータの種別を表す情報である。
【００２８】
図５は、テンプレート記憶部に記憶されるテンプレートの一例を示す図である。図５に示す例では、テンプレート記憶部１０２に記憶されるテンプレート５ａは、領域５ｂ、領域５ｃ、領域５ｄの３つの領域を含む。このうち、領域５ｂは、患者情報が記載される領域である。領域５ｃは、複数のＦｉｎｄｉｎｇ情報が記載される領域である。例えば、領域５ｃの１つである領域５ｅには、検査種別情報「ＣＴ検査」と、データ種識別子「２Ｄ画像」とが対応付けられている。領域５ｄは、総合所見が記載される領域である。なお、図５に例示した各領域は、レポートにおける配置位置を示すものである。また、テンプレート記憶部１０２に記憶されるテンプレートは、必ずしも図示のごとくレポートのイメージ図として記憶されなくても良い。例えば、テンプレートは、レポートにおけるＦｉｎｄｉｎｇ情報の配置位置を座標情報として記憶されても良い。
【００２９】
レイアウト作成部１０３は、被検体の疾病に関する複数種類の検査が予約された際に、疾病の診断に用いられるレポートにおける各検査結果の配置位置を定義したレイアウト情報を作成する。なお、レイアウト作成部１０３は、作成部の一例である。
【００３０】
例えば、レイアウト作成部１０３は、検査予約情報及び疾病種別情報を検査情報取得部１０１から受け付ける。レイアウト作成部１０３は、テンプレート記憶部１０２を参照し、疾病種別情報に対応するテンプレートを取得する。レイアウト作成部１０３は、テンプレートの配置位置に対応付けられた検査種別情報と、検査予約情報の検査種別情報とを比較する。レイアウト作成部１０３は、検査種別情報が一致する検査識別子を、テンプレートの配置位置に割り当てる。また、レイアウト作成部１０３は、テンプレートの患者情報に、検査予約情報の患者情報を割り当てる。なお、以下では、検査予約情報の患者情報及び検査識別子が割り当てられたテンプレートを、「レイアウト」とも称する。このレイアウトは、レイアウト情報の一例である。
【００３１】
図６は、レイアウト作成部によって作成されるレイアウトの一例を示す図である。図６には、図３の検査予約情報と図５のテンプレート５ａとから作成されるレイアウト６ａを例示する。図６に示す例では、レイアウト作成部１０３によって作成されるレイアウト６ａは、領域６ｂ、領域６ｃ、領域６ｄの３つの領域を含む。このうち、領域６ｂは、検査予約情報に対応する患者情報が記載される領域である。領域６ｃは、複数のＦｉｎｄｉｎｇ情報が記載される各領域に検査識別子が対応付けられたものである。例えば、領域６ｃの１つである領域６ｅには、検査種別情報「ＣＴ検査」と、検査識別子「１００１１」と、データ種識別子「２Ｄ画像」とが対応付けられている。領域６ｄは、総合所見が記載される領域である。
【００３２】
図６に示す例では、図５の領域５ｅの検査種別情報「ＣＴ検査」と、図３の検査種別情報「ＣＴ検査」とが一致する。このため、レイアウト作成部１０３は、検査種別情報「ＣＴ検査」に対応する検査識別子「１００１１」を領域５ｅに割り当てて、領域６ｅとする。また、レイアウト作成部１０３は、他の領域についても同様に、検査種別情報に対応する検査識別子をテンプレートの各領域に割り当てる。そして、レイアウト作成部１０３は、検査予約情報の患者情報及び検査識別子を割り当てたテンプレートをレイアウトとして、後述のレポート保存部１０５を介してレポート記憶部１０６に格納する。
【００３３】
レイアウト配置部１０４は、検査が実施されるごとに、検査で得られた検査結果をレイアウト作成部１０３によって作成されたレイアウトに配置する。なお、レイアウト配置部１０４は、配置部の一例である。
【００３４】
図２に示す例では、レイアウト配置部１０４は、Ｆｉｎｄｉｎｇ取得部１０４ａと、Ｆｉｎｄｉｎｇ割当部１０４ｂとを備える。
【００３５】
Ｆｉｎｄｉｎｇ取得部１０４ａは、例えば、検査が実施されるごとに、モダリティ１２０によって生成されたＦｉｎｄｉｎｇ情報をモダリティ１２０から取得する。Ｆｉｎｄｉｎｇ取得部１０４ａは、取得したＦｉｎｄｉｎｇ情報を後述するＦｉｎｄｉｎｇ割当部１０４ｂへ出力する。
【００３６】
一例としては、Ｆｉｎｄｉｎｇ取得部１０４ａは、Ｘ線ＣＴ装置で検査識別子「１００１１」の検査が実施されると、そのＸ線ＣＴ装置で生成された２Ｄ画像データをＦｉｎｄｉｎｇ情報として取得する。Ｆｉｎｄｉｎｇ取得部１０４ａは、Ｆｉｎｄｉｎｇ情報とともに、Ｆｉｎｄｉｎｇ情報が得られた検査に関連する患者情報「１０１」、検査識別情報「ＣＴ検査」、データ種識別子「２Ｄ画像」及び検査識別子「１００１１」を含む付帯情報も取得する。Ｆｉｎｄｉｎｇ取得部１０４ａは、取得したＦｉｎｄｉｎｇ情報「２Ｄ画像データ」、患者情報「１０１」、検査識別情報「ＣＴ検査」、データ種識別子「２Ｄ画像」及び検査識別子「１００１１」をＦｉｎｄｉｎｇ割当部１０４ｂへ出力する。
【００３７】
なお、ここでは、Ｆｉｎｄｉｎｇ取得部１０４ａがモダリティ１２０からＦｉｎｄｉｎｇ情報を取得する場合を説明したが、これに限定されるものではない。例えば、ワークステーション１４０においてＦｉｎｄｉｎｇ情報が生成される場合には、ワークステーション１４０からＦｉｎｄｉｎｇ情報を取得しても良い。また、Ｆｉｎｄｉｎｇ取得部１０４ａが情報を取得する方法は、モダリティ１２０からＦｉｎｄｉｎｇ情報が送信されるまで待機する受動取得であっても、モダリティ１２０に対してポーリングを行う能動取得であっても良い。
【００３８】
Ｆｉｎｄｉｎｇ割当部１０４ｂは、レイアウト作成部１０３によって作成されたレイアウトに、Ｆｉｎｄｉｎｇ取得部１０４ａによって取得されたＦｉｎｄｉｎｇ情報を割り当てる。Ｆｉｎｄｉｎｇ割当部１０４ｂは、全てのＦｉｎｄｉｎｇ情報を割り当てたレイアウトを、統合レポートとして後述のレポート表示部１０７ｃへ出力する。Ｆｉｎｄｉｎｇ割当部１０４ｂは、全てのＦｉｎｄｉｎｇ情報を割り当てていないレイアウトを、レポート保存部１０５を介してレポート記憶部１０６に格納する。
【００３９】
例えば、Ｆｉｎｄｉｎｇ割当部１０４ｂは、Ｆｉｎｄｉｎｇ情報、患者情報、検査識別情報、データ種識別子及び検査識別子を、Ｆｉｎｄｉｎｇ取得部１０４ａから受け付ける。Ｆｉｎｄｉｎｇ割当部１０４ｂは、受け付けた患者情報及び検査識別子に対応するレイアウトを、レポート保存部１０５を介してレポート記憶部１０６から取得する。Ｆｉｎｄｉｎｇ割当部１０４ｂは、取得したレイアウトの各配置位置に対応付けられた検査識別子及びデータ種識別子と、Ｆｉｎｄｉｎｇ情報の付帯情報の検査識別子及びデータ種識別子とを比較する。Ｆｉｎｄｉｎｇ割当部１０４ｂは、検査識別子及びデータ種識別子が一致するＦｉｎｄｉｎｇ情報を、テンプレートの配置位置に割り当てる。なお、以下では、複数のＦｉｎｄｉｎｇ情報が割り当てられたレイアウトを、「統合レポート」とも称する。
【００４０】
図７は、Ｆｉｎｄｉｎｇ割当部１０４ｂによって割り当てられた統合レポートの一例を示す図である。図７には、図６のレイアウトを用いて作成された統合レポートを例示する。図７に示す例では、Ｆｉｎｄｉｎｇ割当部１０４ｂによって割り当てられた統合レポート７ａは、領域７ｂ、領域７ｃ、領域７ｄの３つの領域を含む。このうち、領域７ｂは、検査予約情報に対応する患者情報が記載される領域である。領域７ｃは、複数のＦｉｎｄｉｎｇ情報が記載された領域である。例えば、領域７ｃの１つである領域７ｅには、検査種別情報「ＣＴ検査」と、検査識別子「１００１１」と、Ｆｉｎｄｉｎｇ情報「２Ｄ画像データ」とが対応付けられている。領域７ｄは、総合所見が記載される領域である。
【００４１】
図７に示す例では、図６の領域６ｅの検査識別子「１００１１」及びデータ種識別子「２Ｄ画像」と、Ｆｉｎｄｉｎｇ取得部１０４ａから受け付けた検査識別子「１００１１」及びデータ種識別子「２Ｄ画像」とが一致する。このため、Ｆｉｎｄｉｎｇ割当部１０４ｂは、検査識別子及びデータ種識別子が一致するＦｉｎｄｉｎｇ情報「２Ｄ画像データ」を、レイアウトの領域６ｅに割り当てて、領域７ｅとする。また、Ｆｉｎｄｉｎｇ割当部１０４ｂは、他の領域についても同様に、検査識別子及びデータ種識別子が一致するＦｉｎｄｉｎｇ情報をレイアウトの各領域に割り当てる。そして、Ｆｉｎｄｉｎｇ割当部１０４ｂは、レイアウトに全てのＦｉｎｄｉｎｇ情報を割り当てたか否かを判定する。Ｆｉｎｄｉｎｇ割当部１０４ｂは、全てのＦｉｎｄｉｎｇ情報をレイアウトに割り当てた場合には、レイアウトを統合レポートとしてレポート表示部１０７ｃへ出力する。Ｆｉｎｄｉｎｇ割当部１０４ｂは、全てのＦｉｎｄｉｎｇ情報をレイアウトに割り当てていない場合には、レイアウトをレポート保存部１０５を介してレポート記憶部１０６に格納する。このとき、Ｆｉｎｄｉｎｇ割当部１０４ｂは、Ｆｉｎｄｉｎｇ情報を割り当て済みの領域を示す情報を、レポート表示部１０７ｃへ出力する。なお、Ｆｉｎｄｉｎｇ割当部１０４ｂは、全てのＦｉｎｄｉｎｇ情報を割り当てたレイアウトを、統合レポートとしてレポート記憶部１０６に格納しても良い。
【００４２】
レポート保存部１０５は、統合レポート又はレイアウトをレポート記憶部１０６に保存する。例えば、レポート保存部１０５は、レイアウト作成部１０３又はレイアウト配置部１０４からレイアウトを受け付ける。レポート保存部１０５は、後述のレポート操作部１０７から統合レポートを受け付ける。レポート保存部１０５は、受け付けたレイアウト又は統合レポートをレポート記憶部１０６に格納する。
【００４３】
また、例えば、レポート保存部１０５は、レイアウト配置部１０４から指定された患者情報及び検査識別子に対応するレイアウトを、レポート記憶部１０６から取得する。レポート保存部１０５は、取得したレイアウトをレイアウト配置部１０４へ出力する。
【００４４】
また、例えば、レポート保存部１０５は、レポート操作部１０７から指定された患者情報及び検査識別子に対応する統合レポートを、レポート記憶部１０６から取得する。レポート保存部１０５は、取得した統合レポートをレポート操作部１０７へ出力する。
【００４５】
レポート記憶部１０６は、統合レポート及びレイアウトを記憶する。例えば、レポート記憶部１０６は、図６のレイアウト、図７の統合レポート及び一部のＦｉｎｄｉｎｇ情報のみが割り当てられたレイアウトを記憶する。
【００４６】
レポート操作部１０７は、例えば、医師や検査技師からの指示に応じてレポートを操作する。図２に示すように、レポート操作部１０７は、レポート出力部１０７ａと、レポート更新部１０７ｂと、レポート表示部１０７ｃとを備える。
【００４７】
レポート出力部１０７ａは、統合レポートを端末装置１５０へ出力する。例えば、レポート出力部１０７ａは、端末装置１５０を利用する医師や検査技師によって指定された患者情報及び検査識別子を用いて、レポート記憶部１０６から統合レポートを取得する。レポート出力部１０７ａは、取得した統合レポートを端末装置１５０へ出力する。この結果、端末装置１５０を利用する医師や検査技師は、統合レポートを閲覧することができる。また、例えば、レポート出力部１０７ａは、図示しないプリンタへ統合レポートを出力し、紙媒体に印刷しても良い。
【００４８】
レポート更新部１０７ｂは、統合レポートを更新する。例えば、レポート更新部１０７ｂは、端末装置１５０又はモニタ１７０に表示された統合レポートの総合所見に対するテキストデータの入力を受け付ける。レポート更新部１０７ｂは、受け付けたテキストデータの入力を、レポート記憶部１０６に記憶される統合レポートに書き込む。
【００４９】
レポート表示部１０７ｃは、レポートを表示する。例えば、レポート表示部１０７ｃは、レイアウト配置部１０４又はレポート保存部１０５から統合レポートを受け付ける。レポート表示部１０７ｃは、受け付けた統合レポートをモニタ１７０に出力する。この結果、モニタ１７０を閲覧する医師や検査技師は、統合レポートを閲覧することができる。
【００５０】
また、例えば、レポート表示部１０７ｃは、Ｆｉｎｄｉｎｇ情報を割り当て済みの領域を示す情報を、レイアウト配置部１０４のＦｉｎｄｉｎｇ割当部１０４ｂから受け付ける。レポート表示部１０７ｃは、受け付けた情報に基づいて、図８に例示のサマリ図を生成する。図８に例示のサマリ図は、Ｆｉｎｄｉｎｇ情報が割り当て済みの領域が網掛けで示された統合レポートの概略図である。レポート表示部１０７ｃは、精製したサマリ図をモニタ１７０へ出力する。この結果、モニタ１７０を閲覧する医師や検査技師は、サマリ図を閲覧することができる。なお、図８は、モニタに表示されるサマリ図の一例を示す図である。
【００５１】
なお、ここでは、レポート操作部１０７が統合レポートを出力する場合を例示したが、これに限定されるものではなく、レポート操作部１０７は、例えば、一部のＦｉｎｄｉｎｇ情報のみが割り当てられたレイアウトを出力しても良い。
【００５２】
また、検査情報取得部１０１、レイアウト作成部１０３、レイアウト配置部１０４、レポート保存部１０５及びレポート操作部１０７の機能は、例えば、ＡＳＩＣ（Application  Specific  Integrated  Circuit）やＦＰＧＡ（Field  Programmable  Gate  Array）などの集積回路、あるいはＣＰＵ（Central  Processing  Unit）が所定のプログラムを実行することで実現することができる。
【００５３】
また、テンプレート記憶部１０２及びレポート記憶部１０６は、例えば、ＲＡＭ（Random  Access  Memory）、フラッシュメモリ（Flash  Memory）などの半導体メモリ素子、ハードディスク装置や光ディスク装置などの記憶装置に対応する。
【００５４】
次に、図９を用いて、第１の実施形態に係るレポート作成装置１００のレイアウト作成処理を説明する。図９は、第１の実施形態に係るレポート作成装置１００のレイアウト作成処理を説明するためのフローチャートである。図９に示す処理は、例えば、検査情報取得部１０１が検査予約情報及び疾病種別情報を取得したことを契機として実行される。
【００５５】
図９に示すように、検査情報取得部１０１が検査予約情報及び疾病種別情報を取得すると（ステップＳ１０１肯定）、レイアウト作成部１０３は、検査情報取得部１０１によって取得された疾病種別情報に対応するテンプレートを取得する（ステップＳ１０２）。なお、検査情報取得部１０１が検査予約情報及び疾病種別情報を取得するまで（ステップＳ１０１否定）、待機状態である。
【００５６】
レイアウト作成部１０３は、レイアウトを作成する（ステップＳ１０３）。例えば、レイアウト作成部１０３は、テンプレートの配置位置に対応付けられた検査種別情報と、検査予約情報の検査種別情報とを比較する。レイアウト作成部１０３は、検査種別情報が一致する検査識別子を、テンプレートの配置位置に割り当てる。また、レイアウト作成部１０３は、テンプレートの患者情報に、検査予約情報の患者情報を割り当てる。
【００５７】
レイアウト作成部１０３は、検査予約情報の患者情報及び検査識別子を割り当てたテンプレートをレイアウトとして、レポート記憶部１０６に格納する（ステップＳ１０４）。
【００５８】
次に、図１０を用いて、第１の実施形態に係るレポート作成装置１００のレポート作成処理を説明する。図１０は、第１の実施形態に係るレポート作成装置１００のレポート作成処理を説明するためのフローチャートである。図１０に示す処理は、例えば、レイアウト配置部１０４のＦｉｎｄｉｎｇ取得部１０４ａがＦｉｎｄｉｎｇ情報を取得したことを契機として実行される。
【００５９】
図１０に示すように、レイアウト配置部１０４のＦｉｎｄｉｎｇ取得部１０４ａがＦｉｎｄｉｎｇ情報を取得すると（ステップＳ２０１肯定）、レイアウト配置部１０４のＦｉｎｄｉｎｇ割当部１０４ｂは、Ｆｉｎｄｉｎｇ情報の付帯情報の患者情報及び検査識別子に対応するレイアウトを、レポート保存部１０５を介してレポート記憶部１０６から取得する（ステップＳ２０２）。なお、レイアウト配置部１０４のＦｉｎｄｉｎｇ取得部１０４ａがＦｉｎｄｉｎｇ情報を取得するまで（ステップＳ２０１否定）、待機状態である。
【００６０】
レイアウト配置部１０４のＦｉｎｄｉｎｇ割当部１０４ｂは、Ｆｉｎｄｉｎｇ情報をレイアウトに配置する（ステップＳ２０３）。例えば、レイアウト配置部１０４のＦｉｎｄｉｎｇ割当部１０４ｂは、取得したレイアウトの各配置位置に対応付けられた検査識別子及びデータ種識別子と、Ｆｉｎｄｉｎｇ情報の付帯情報の検査識別子及びデータ種識別子とを比較する。レイアウト配置部１０４のＦｉｎｄｉｎｇ割当部１０４ｂは、検査識別子及びデータ種識別子が一致するＦｉｎｄｉｎｇ情報を、テンプレートの配置位置に割り当てる。
【００６１】
レイアウト配置部１０４のＦｉｎｄｉｎｇ割当部１０４ｂは、レイアウトに全てのＦｉｎｄｉｎｇ情報を配置したか否かを判定する（ステップＳ２０４）。全てのＦｉｎｄｉｎｇ情報をレイアウトに割り当てた場合には（ステップＳ２０４肯定）、レイアウト配置部１０４のＦｉｎｄｉｎｇ割当部１０４ｂは、レイアウトを統合レポートとしてレポート表示部１０７ｃへ出力する（ステップＳ２０５）。
【００６２】
一方、全てのＦｉｎｄｉｎｇ情報をレイアウトに割り当てていない場合には（ステップＳ２０４否定）、レイアウト配置部１０４のＦｉｎｄｉｎｇ割当部１０４ｂは、レイアウトをレポート保存部１０５を介してレポート記憶部１０６に格納し（ステップＳ２０６）、ステップＳ２０１の処理へ移行する。このとき、レイアウト配置部１０４のＦｉｎｄｉｎｇ割当部１０４ｂは、Ｆｉｎｄｉｎｇ情報を割り当て済みの領域を示す情報を、レポート表示部１０７ｃへ出力する。
【００６３】
なお、上記のレイアウト作成処理及びレポート作成処理は、必ずしも上記の処理手順に限定されるものではない。例えば、レイアウト配置部１０４のＦｉｎｄｉｎｇ割当部１０４ｂは、一部のＦｉｎｄｉｎｇ情報のみが割り当てられたレイアウトをレポート表示部１０７ｃへ出力しても良い。
【００６４】
上述してきたように、第１の実施形態に係るレポート作成装置１００は、被検体の疾病に関する複数種類の検査が予約された際に、疾病の診断に用いられるレポートにおける各検査結果の配置位置を定義したレイアウト情報を作成する。レポート作成装置１００は、検査が実施されるごとに、実施された検査で得られた検査結果を、作成したレイアウト情報に配置する。レポート作成装置１００は、複数の検査結果を配置したレイアウト情報を用いて、複数の検査結果を含む統合レポートを出力する。このため、レポート作成装置１００は、医師の労力を軽減することができる。
【００６５】
ここで、図１１及び図１２を用いて、第１の実施形態に係るレポート作成装置１００の効果について説明する。図１１は、従来技術の課題について説明するための図である。図１２は、第１の実施形態に係るレポート作成装置１００の効果について説明するための図である。
【００６６】
図１１に示すように、従来技術は、患者の疾病に関する複数の検査が予約された場合には、検査ごとにそれぞれ単独のレポートが作成されていた。このため、従来技術では、患者の疾病について診断を行う場合には、医師がこれら複数のレポートを読み繋げなければならず、労力を要していた。これに対して、第１の実施形態に係るレポート作成装置１００は、図１２に示すように、複数の検査から得られた検査結果を統合した統合レポートを作成する。このため、レポート作成装置１００は、医師が複数のレポートを読み繋げる労力を緩和するので、医師の労力を軽減することができ、さらには、医師の診断効率を上げることもできる。
【００６７】
（第２の実施形態）
次に、第２の実施形態を説明する。上述した第１の実施形態では、レポート作成装置１００がモダリティ１２０又はワークステーション１４０によって生成されたＦｉｎｄｉｎｇ情報を用いて統合レポートを作成する場合を説明したが、実施形態はこれに限定されるものではない。例えば、レポート作成装置１００がモダリティ１２０又はワークステーション１４０によって生成された単独レポートを用いて統合レポートを作成しても良い。そこで、第２の実施形態では、レポート作成装置１００がモダリティ１２０又はワークステーション１４０によって生成された単独レポートを用いて統合レポートを作成する場合を説明する。
【００６８】
なお、第２の実施形態では、単独レポートを用いて統合レポートを作成する場合を説明するが、作成済みの統合レポートに基づいて新たな統合レポートを作成することもできる。これは、以下において説明する単独レポートと同様に作成済みの統合レポートを用いることにより実現される。
【００６９】
図１３を用いて、第２の実施形態に係るレポート作成装置１００の構成例を説明する。図１３は、第２の実施形態に係るレポート作成装置１００の構成例を説明するための図である。図１３に示すレポート作成装置１００は、図２に示したレポート作成装置１００と比べて、単独レポート取得部１０４ｃ及び単独レポート分解部１０４ｄを有する点が相違する。なお、以下では、上記の実施形態と同様の機能を発揮する機能部については同一の符号を付し、その説明を省略することとする。
【００７０】
単独レポート取得部１０４ｃは、個々の検査ごとに作成された単独レポート又は前記統合レポートを取得する。例えば、単独レポート取得部１０４ｃは、検査が実施されるごとに、モダリティ１２０によって生成された単独レポートをモダリティ１２０から取得する。単独レポート取得部１０４ｃは、取得した単独レポートを後述する単独レポート分解部１０４ｄへ出力する。
【００７１】
一例としては、単独レポート取得部１０４ｃは、Ｘ線ＣＴ装置で検査識別子「１００１１」の検査が実施されると、そのＸ線ＣＴ装置で生成された単独レポートを取得する。ここで、単独レポート取得部１０４ｃが取得した単独レポートは、単独レポートが得られた検査に関連する患者情報「１０１」、検査識別情報「ＣＴ検査」、Ｆｉｎｄｉｎｇ情報「２Ｄ画像データ」、データ種識別子「２Ｄ画像」及び検査識別子「１００１１」を含む。単独レポート取得部１０４ｃは、取得した単独レポートを単独レポート分解部１０４ｄへ出力する。
【００７２】
なお、ここでは、単独レポート取得部１０４ｃがモダリティ１２０から単独レポートを取得する場合を説明したが、これに限定されるものではない。例えば、ワークステーション１４０において単独レポートが生成される場合には、ワークステーション１４０から単独レポートを取得しても良い。また、単独レポート取得部１０４ｃが情報を取得する方法は、モダリティ１２０から単独レポートが送信されるまで待機する受動取得であっても、モダリティ１２０に対してポーリングを行う能動取得であっても良い。
【００７３】
単独レポート分解部１０４ｄは、単独レポートを複数の検査結果に分解する。例えば、単独レポート分解部１０４ｄは、単独レポート取得部１０４ｃによって取得された単独レポートを、単独レポート取得部１０４ｃから受け付ける。単独レポート分解部１０４ｄは、受け付けた単独レポートから、患者情報、検査識別情報、Ｆｉｎｄｉｎｇ情報、データ種識別子及び検査識別子を抽出する。単独レポート分解部１０４ｄは、患者情報、検査識別情報、Ｆｉｎｄｉｎｇ情報、データ種識別子及び検査識別子をＦｉｎｄｉｎｇ割当部１０４ｂへ出力する。
【００７４】
一例としては、単独レポート分解部１０４ｄは、単独レポート取得部１０４ｃによって取得されたＸ線ＣＴ装置からの単独レポートを、単独レポート取得部１０４ｃから受け付ける。単独レポート分解部１０４ｄは、受け付けた単独レポートから、単独レポートが得られた検査に関連する患者情報「１０１」、検査識別情報「ＣＴ検査」、Ｆｉｎｄｉｎｇ情報「２Ｄ画像データ」、データ種識別子「２Ｄ画像」及び検査識別子「１００１１」を抽出する。単独レポート分解部１０４ｄは、患者情報「１０１」、検査識別情報「ＣＴ検査」、Ｆｉｎｄｉｎｇ情報「２Ｄ画像データ」、データ種識別子「２Ｄ画像」及び検査識別子「１００１１」をＦｉｎｄｉｎｇ割当部１０４ｂへ出力する。
【００７５】
次に、図１４を用いて、第２の実施形態に係るレポート作成装置１００のレポート作成処理を説明する。図１４は、第２の実施形態に係るレポート作成装置１００のレポート作成処理を説明するためのフローチャートである。図１４に示す処理は、例えば、レイアウト配置部１０４の単独レポート取得部１０４ｃが単独レポートを取得したことを契機として実行される。
【００７６】
図１４に示すように、レイアウト配置部１０４の単独レポート取得部１０４ｃが単独レポートを取得すると（ステップＳ３０１肯定）、レイアウト配置部１０４の単独レポート分解部１０４ｄは、単独レポート取得部１０４ｃによって取得された単独レポートを複数の検査結果に分解する（ステップＳ３０２）。例えば、単独レポート分解部１０４ｄは、単独レポート取得部１０４ｃによって取得された単独レポートから、患者情報、検査識別情報、Ｆｉｎｄｉｎｇ情報、データ種識別子及び検査識別子を抽出する。単独レポート分解部１０４ｄは、患者情報、検査識別情報、Ｆｉｎｄｉｎｇ情報、データ種識別子及び検査識別子をＦｉｎｄｉｎｇ割当部１０４ｂへ出力する。なお、レイアウト配置部１０４の単独レポート取得部１０４ｃが単独レポートを取得するまで（ステップＳ３０１否定）、待機状態である。
【００７７】
レイアウト配置部１０４のＦｉｎｄｉｎｇ割当部１０４ｂは、単独レポート分解部１０４ｄから受け付けた患者情報及び検査識別子に対応するレイアウトを、レポート保存部１０５を介してレポート記憶部１０６から取得する（ステップＳ３０３）。
【００７８】
レイアウト配置部１０４のＦｉｎｄｉｎｇ割当部１０４ｂは、単独レポート分解部１０４ｄによって得られた少なくとも１つのＦｉｎｄｉｎｇ情報をレイアウトに配置する（ステップＳ３０４）。例えば、Ｆｉｎｄｉｎｇ割当部１０４ｂは、取得したレイアウトの各配置位置に対応付けられた検査識別子及びデータ種識別子と、単独レポート分解部１０４ｄから受け付けた検査識別子及びデータ種識別子とを比較する。レイアウト配置部１０４のＦｉｎｄｉｎｇ割当部１０４ｂは、検査識別子及びデータ種識別子が一致するＦｉｎｄｉｎｇ情報を、テンプレートの配置位置に割り当てる。
【００７９】
レイアウト配置部１０４のＦｉｎｄｉｎｇ割当部１０４ｂは、レイアウトに全てのＦｉｎｄｉｎｇ情報を配置したか否かを判定する（ステップＳ３０５）。全てのＦｉｎｄｉｎｇ情報をレイアウトに割り当てた場合には（ステップＳ３０５肯定）、レイアウト配置部１０４のＦｉｎｄｉｎｇ割当部１０４ｂは、レイアウトを統合レポートとしてレポート表示部１０７ｃへ出力する（ステップＳ３０６）。
【００８０】
一方、全てのＦｉｎｄｉｎｇ情報をレイアウトに割り当てていない場合には（ステップＳ３０５否定）、レイアウト配置部１０４のＦｉｎｄｉｎｇ割当部１０４ｂは、レイアウトをレポート保存部１０５を介してレポート記憶部１０６に格納し（ステップＳ３０７）、ステップＳ３０１の処理へ移行する。
【００８１】
なお、上記のレイアウト作成処理及びレポート作成処理は、必ずしも上記の処理手順に限定されるものではない。例えば、レイアウト配置部１０４のＦｉｎｄｉｎｇ割当部１０４ｂは、一部のＦｉｎｄｉｎｇ情報のみが割り当てられたレイアウトをレポート表示部１０７ｃへ出力しても良い。
【００８２】
上述してきたように、第２の実施形態に係るレポート作成装置１００は、個々の検査ごとに作成された単独レポートを取得する。レポート作成装置１００は、取得した単独レポートを複数の検査結果に分解する。レポート作成装置１００は、分解することで得られた少なくとも１つの検査結果を、レイアウトに配置する。このため、レポート作成装置１００は、作成済みの単独レポートから統合レポートを作成することができる。
【００８３】
（第３の実施形態）
次に、第３の実施形態を説明する。上述した実施形態では、レポート作成装置１００が検査予約管理装置１１０から取得した検査予約情報を用いて統合レポートを作成する場合を説明したが、実施形態はこれに限定されるものではない。例えば、レポート作成装置１００は、医師によって検査が予約される際に、検査で得られるＦｉｎｄｉｎｇ情報の配置位置の指定を受け付けて統合レポートを作成しても良い。そこで、第３の実施形態では、レポート作成装置１００が、検査が予約される際に、医師により指定された配置位置にＦｉｎｄｉｎｇ情報を配置して統合レポートを作成する場合を説明する。
【００８４】
図１５を用いて、第３の実施形態に係るレポート作成装置１００の構成例を説明する。図１５は、第３の実施形態に係るレポート作成装置１００の構成例を説明するための図である。図１５に示すレポート作成装置１００は、図２に示したレポート作成装置１００と比べて、作成部１０８を有する点が相違する。なお、以下では、上記の実施形態と同様の機能を発揮する機能部については同一の符号を付し、その説明を省略することとする。
【００８５】
作成部１０８は、複数種類の検査が予約される際に、各検査で得られる検査結果の配置位置の指定を受け付け、その配置位置にしたがってレイアウト情報を作成する。例えば、作成部１０８は、病院内に勤務する医師や事務員による患者情報及び疾病種別情報の入力を、端末装置１５０又は入力装置１６０を介して受け付ける。作成部１０８は、疾病種別情報に対応するテンプレートをテンプレート記憶部１０２から取得する。作成部１０８は、端末装置１５０又はモニタ１７０にテンプレートを出力し，表示させる。作成部１０８は、検査対象となる検査識別情報の入力を、端末装置１５０又は入力装置１６０を介して受け付ける。作成部１０８は、検査対象となる検査識別情報に任意の検査識別子を割り当てて、レイアウトを作成する。作成部１０８は、入力された患者情報をテンプレートに割り当てる。作成部１０８は、検査識別子を割り当てたレイアウトを、レポート記憶部１０６に格納する。作成部１０８は、レイアウトから検査予約情報を生成する。例えば、作成部１０８は、検査識別子を割り当てたレイアウトから、患者情報、検査識別情報、データ種識別情報及び検査識別子を検査予約情報として抽出する。作成部１０８は、生成した検査予約情報を検査予約管理装置１１０へ送信する。
【００８６】
一例としては、作成部１０８は、病院内に勤務する医師や事務員による患者情報「１０１」及び疾病種別情報「心筋梗塞」の入力を、端末装置１５０又は入力装置１６０を介して受け付ける。作成部１０８は、疾病種別情報「心筋梗塞」に対応するテンプレート「テンプレート１」をテンプレート記憶部１０２から取得する。作成部１０８は、端末装置１５０又はモニタ１７０にテンプレート「テンプレート１」を出力し，表示させる。作成部１０８は、図５の領域５ｅが医師や事務員によって選択されると、検査対象として検査識別情報「ＣＴ検査」が指定されたものとして受け付ける。作成部１０８は、検査対象となる検査識別情報「ＣＴ検査」に任意の検査識別子として検査識別子「１００１１」を割り当てる。作成部１０８は、他の領域についても同様に、医師や事務員によって選択された領域に検査識別子を割り当てる。また、作成部１０８は、入力された患者情報「１０１」を図５の領域５ｂに割り当てる。作成部１０８は、検査識別子を割り当てたレイアウトから、患者情報「１０１」、検査識別情報「ＣＴ検査」及び検査識別子「１００１１」を検査予約情報として抽出する。また、作成部１０８は、他の検査識別情報についても同様に、検査識別子が割り当てられた検査識別情報については検査予約情報として抽出する。作成部１０８は、生成した検査予約情報を検査予約管理装置１１０へ送信する。
【００８７】
次に、図１６を用いて、第３の実施形態に係るレポート作成装置１００のレポート作成処理を説明する。図１６は、第３の実施形態に係るレポート作成装置１００のレポート作成処理を説明するためのフローチャートである。図１６に示す処理は、例えば、作成部１０８が患者情報及び疾病種別情報の入力を受け付けたことを契機として開始される。
【００８８】
図１６に示すように、作成部１０８は、患者情報及び疾病種別情報を受け付けると（ステップＳ４０１肯定）、疾病種別情報に対応するテンプレートをテンプレート記憶部１０２から取得する（ステップＳ４０２）。なお、作成部１０８は、患者情報及び疾病種別情報を受け付けるまで（ステップＳ４０１否定）、待機状態である。
【００８９】
作成部１０８は、端末装置１５０又はモニタ１７０にテンプレートを表示させる（ステップＳ４０３）。作成部１０８は、検査対象となる検査識別情報を受け付ける（ステップＳ４０４）。
【００９０】
作成部１０８は、レイアウトを作成する（ステップＳ４０５）。例えば、作成部１０８は、検査対象となる検査識別情報に検査識別子を割り当てる。作成部１０８は、テンプレートに入力された患者情報を割り当てる。
【００９１】
作成部１０８は、検査識別子を割り当てたレイアウトをレポート記憶部１０６に格納する（ステップＳ４０６）。作成部１０８は、レイアウトから検査予約情報を生成する（ステップＳ４０７）。例えば、作成部１０８は、検査識別子を割り当てたレイアウトから、患者情報、検査識別情報及び検査識別子を検査予約情報として抽出する。作成部１０８は、生成した検査予約情報を検査予約管理装置１１０へ送信する（ステップＳ４０８）。
【００９２】
上述してきたように、第１の実施形態に係るレポート作成装置１００は、複数種類の検査が予約される際に、各検査で得られる検査結果の配置位置の指定を受け付け、受け付けた配置位置にしたがって、レイアウト情報を作成する。このため、レポート作成装置１００は、レポート作成装置１００を利用する者の任意のレイアウトで統合レポートを作成することができる。
【００９３】
（他の実施形態）
ところで、上述した第１の実施形態及び第２の実施形態において、予め規定された優先度に基づいて検査結果をテンプレートに配置しても良い。図１７は、他の実施形態に係るレポート作成装置１００の構成例を説明するための図である。図１７に示すレポート作成装置１００は、図２に示したレポート作成装置１００と比べて、優先度順テンプレート記憶部１０９を有する点が相違する。なお、以下では、上記の実施形態と同様の機能を発揮する機能部については同一の符号を付し、その説明を省略することとする。
【００９４】
優先度順テンプレート記憶部１０９は、統合レポートに配置される検査結果の優先度を疾病ごとに記憶する。
【００９５】
図１８は、優先度順テンプレート記憶部１０９に記憶される情報の一例を示す図である。図１８に示すように、優先度順テンプレート記憶部１０９は、疾病種別情報と、テンプレート形式と、優先度とが対応付けられた情報を記憶する。このうち、テンプレート形式は、レポートに配置されるＦｉｎｄｉｎｇ情報の数と位置とを規定する情報であり、例えば、「２×３」、「２×２」、「１×２」などの情報が記憶される。また、優先度は、レポートに配置される検査種別情報の優先順位を表す情報である。
【００９６】
図１８に示す例では、優先度順テンプレート記憶部１０９は、疾病種別情報「脳梗塞」と、テンプレート形式「２×３」と、優先度１「ＭＲ画像」と、優先度２「ＣＴ画像」と、優先度３「ＭＲ３Ｄ」と、優先度４「血圧」と、優先度５「血液」と、優先度６「尿」とが対応付けられた情報を記憶する。つまり、優先度順テンプレート記憶部１０９は、検査予約情報に関連する患者の疾病が脳梗塞である場合には、テンプレート形式「２×３」のテンプレートに基づいてレポートを作成する旨を記憶する。なお、優先度順テンプレート記憶部１０９は、他の疾病種別情報についても同様にテンプレートを記憶する。
【００９７】
図１９は、優先度順テンプレート記憶部１０９に記憶されるテンプレート形式の一例を示す図である。図１９に示す例では、優先度順テンプレート記憶部１０９に記憶されるテンプレート１９ａは、複数のＦｉｎｄｉｎｇ情報を含む領域１９ｂを含む。この領域１９ｂは、テンプレート形式「２×２」のテンプレートの一例であり、左上の領域に「表示順１」、右上の領域に「表示順２」、左下の領域に「表示順３」、右下の領域に「表示順４」がそれぞれ対応付けられている。つまり、この領域１９ｂは、優先度の高いＦｉｎｄｉｎｇ情報から順に、左上、右上、左下、右下のそれぞれの領域に配置することを表す。
【００９８】
図２０及び図２１を用いて、優先度に基づいてＦｉｎｄｉｎｇ情報をテンプレートに配置する場合の一例を説明する。図２０は、検査予約情報取得部によって取得される検査予約情報の一例を示す図である。図２１は、レイアウト作成部によって作成されるレイアウトの一例を示す図である。
【００９９】
図２０及び図２１に示す例では、レポート作成装置１００が図２０に示す検査予約情報及び疾病種別情報「心不全」を取得した場合を説明する。この場合、レポート作成装置１００のレイアウト作成部１０３は、優先度順テンプレート記憶部１０９を参照し、疾病種別情報「心不全」に対応するテンプレート形式「２×２」のテンプレートを優先度順テンプレート記憶部１０９から取得する。レイアウト作成部１０３は、優先度順テンプレート記憶部１０９を参照し、優先度の高い検査から順に、検査識別子をテンプレートに割り当てる。具体的には、レイアウト作成部１０３は、優先度１の検査「心電図」に対応する検査識別子が検査予約情報に存在するので、その検査識別子「２００１１」を検査予約情報から取得し、領域１９ｂの左上の領域に割り当てる。続いて、レイアウト作成部１０３は、優先度２の検査「超音波画像」に対応する検査識別子が検査予約情報に存在しないので、優先度２の検査に関する処理を行わずに次の優先度の検査に関する処理に移行する。続いて、レイアウト作成部１０３は、優先度３の検査「血液」に対応する検査識別子が検査予約情報に存在するので、その検査識別子「３０１０１」を検査予約情報から取得し、領域１９ｂの右上の領域に割り当てる。そして、レイアウト作成部１０３は、優先度４の検査「血圧」に対応する検査識別子が検査予約情報に存在しないので、優先度４の検査に関する処理を行わずに処理を終了する。この結果、レイアウト作成部１０３は、図２１に示すレイアウト２１ａを作成する。このレイアウト２１ａは、領域２１ｂの左上に心電図の検査識別子「２００２１」が割り当てられ、右上に血圧の検査識別子「３０１０１」が割り当てられている。
【０１００】
このように、レポート作成装置１００は、疾病ごとに規定された検査結果の優先度を用いて、予約された検査で得られる検査結果の配置位置を決定し、その配置位置にしたがってレイアウト情報を作成する。このため、レポート作成装置１００は、優先度の高い順に検査結果を配置した統合レポートを作成することができる。
【０１０１】
また、上述した第１の実施形態及び第２の実施形態において、医師からの指示に応じてＦｉｎｄｉｎｇ情報を取得する要求をモダリティ１２０に送信しても良い。図２２は、他の実施形態に係るレポート作成装置１００の構成例を説明するための図である。図２２に示すレポート作成装置１００は、図２に示したレポート作成装置１００と比べて、Ｆｉｎｄｉｎｇ取得要求部１０７ｄを有する点が相違する。なお、以下では、上記の実施形態と同様の機能を発揮する機能部については同一の符号を付し、その説明を省略することとする。
【０１０２】
図２２に示すように、Ｆｉｎｄｉｎｇ取得要求部１０７ｄは、検査結果を取得する旨の入力を利用者から受け付ける。例えば、Ｆｉｎｄｉｎｇ取得要求部１０７ｄは、病院内に勤務する医師や事務員によるＦｉｎｄｉｎｇ情報を取得する旨の要求を、端末装置１５０又は入力装置１６０を介して受け付ける。この要求は、例えば、Ｆｉｎｄｉｎｇ情報に関連する検査識別子と、Ｆｉｎｄｉｎｇ情報を生成するモダリティ１２０を識別する情報とを含む。Ｆｉｎｄｉｎｇ取得要求部１０７ｄは、Ｆｉｎｄｉｎｇ情報を取得する旨の要求を、レイアウト配置部１０４のＦｉｎｄｉｎｇ取得部１０４ａに出力する。
【０１０３】
Ｆｉｎｄｉｎｇ取得部１０４ａは、Ｆｉｎｄｉｎｇ取得要求部１０７ｄが受け付けた入力に応じて検査結果を取得する。例えば、Ｆｉｎｄｉｎｇ取得部１０４ａは、Ｆｉｎｄｉｎｇ情報を取得する旨の要求をＦｉｎｄｉｎｇ取得要求部１０７ｄから受け付ける。Ｆｉｎｄｉｎｇ取得部１０４ａは、Ｆｉｎｄｉｎｇ情報を取得する旨の要求を、そのＦｉｎｄｉｎｇ情報を生成するモダリティ１２０へ送信する。Ｆｉｎｄｉｎｇ取得部１０４ａは、要求に含まれる検査識別子のＦｉｎｄｉｎｇ情報がモダリティ１２０にあれば、そのＦｉｎｄｉｎｇ情報を取得する。レポート作成装置１００は、取得したＦｉｎｄｉｎｇ情報をＦｉｎｄｉｎｇ割当部１０４ｂへ出力する。この結果、Ｆｉｎｄｉｎｇ割当部１０４ｂは、Ｆｉｎｄｉｎｇ取得部１０４ａによって取得されたＦｉｎｄｉｎｇ情報をレイアウト情報に配置する。
【０１０４】
このように、レポート作成装置１００は、検査結果を取得する旨の入力を利用者から受け付ける。レポート作成装置１００は、受け付けた入力に応じて検査結果を取得する。レポート作成装置１００は、取得した検査結果をレイアウト情報に配置する。このため、レポート作成装置１００は、利用者の求めに応じて検査結果を取得し、統合レポートを作成することができる。
【０１０５】
なお、上記実施形態で説明した検査情報取得部１０１、レイアウト作成部１０３、レイアウト配置部１０４、レポート保存部１０５及びレポート操作部１０７の機能は、例えば、ソフトウェアによって実現することもできる。例えば、検査情報取得部１０１、レイアウト作成部１０３、レイアウト配置部１０４、レポート保存部１０５及びレポート操作部１０７の機能は、上記実施形態において検査情報取得部１０１、レイアウト作成部１０３、レイアウト配置部１０４、レポート保存部１０５及びレポート操作部１０７が行うものとして説明した処理の手順を規定したレポート作成プログラムをコンピュータに実行させることで、実現される。このレポート作成プログラムは、例えば、ハードディスクや半導体メモリ素子等に記憶され、ＣＰＵやＭＰＵ等のプロセッサによって読み出されて実行される。また、このレポート作成プログラムは、ＣＤ−ＲＯＭ（Compact  Disc  −  Read  Only  Memory）やＭＯ（Magnetic  Optical  disk）、ＤＶＤ（Digital  Versatile  Disc）などのコンピュータ読取り可能な記録媒体に記録されて、配布され得る。
【０１０６】
以上説明した少なくともひとつの実施形態によれば、医師の労力を軽減することができる。
【０１０７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０８】
１００      レポート作成装置
１０３      レイアウト作成部
１０４      レイアウト配置部
１０７      レポート操作部
１０７ａ    レポート出力部
【図１】
2014096055.tif 000003
【図２】
2014096055.tif 000004
【図３】
2014096055.tif 000005
【図４】
2014096055.tif 000006
【図５】
2014096055.tif 000007
【図６】
2014096055.tif 000008
【図７】
2014096055.tif 000009
【図８】
2014096055.tif 000010
【図９】
2014096055.tif 000011
【図１０】
2014096055.tif 000012
【図１１】
2014096055.tif 000013
【図１２】
2014096055.tif 000014
【図１３】
2014096055.tif 000015
【図１４】
2014096055.tif 000016
【図１５】
2014096055.tif 000017
【図１６】
2014096055.tif 000018
【図１７】
2014096055.tif 000019
【図１８】
2014096055.tif 000020
【図１９】
2014096055.tif 000021
【図２０】
2014096055.tif 000022
【図２１】
2014096055.tif 000023
【図２２】
2014096055.tif 000024